(57)【要約】【課題】  伝票に表示した広告が見過ごされることなく、広告媒体としての大きな効果が期待でき、しかも伝票に広告のための欄やスペースを付け足したり、伝票のレイアウトを代えたりすることが不要で、その作製に無駄な経費や労力がかかることのない配送伝票を提供する。【解決手段】  配送用の荷物に貼り付けて使用するものとしており、配送伝票Ｓの裏面に塗布した粘着剤を被覆している剥離紙１の表面に、広告Ａを表示したものとしている。そして、配送伝票Ｓを、荷出人控え伝票２、荷札票３、荷受人控え伝票４などの各種伝票を一端で綴じ合わせたものとしている。さらに、広告Ａを、剥離紙１に印刷したものとしている。また、広告Ａを、他の書面に印刷したものを剥離紙１に貼り付けたものとしている。【選択図】    図１
2006062295.tif 000002
【特許請求の範囲】
【請求項１】
配送用の荷物に貼り付けて使用するものとしており、配送伝票（Ｓ）の裏面に塗布した粘着剤を被覆している剥離紙（１）の表面に、広告（Ａ）を表示したことを特徴とする配送伝票。
【請求項２】
前記配送伝票（Ｓ）を、荷出人控え伝票（２）、荷札票（３）、荷受人控え伝票（４）などの各種伝票を一端で綴じ合わせたものとしたことを特徴とする請求項１記載の配送伝票。
【請求項３】
前記広告（Ａ）を、剥離紙（１）に印刷したものとしたことを特徴とする請求項１または２記載の配送伝票。
【請求項４】
前記広告（Ａ）を、他の書面に印刷したものを剥離紙（１）に貼り付けたものとしたことを特徴とする請求項１〜３の何れかに記載の配送伝票。
【発明の詳細な説明】
【技術分野】
【０００１】
この発明は、宅配便などの配送用の荷物に貼り付けて使用する配送伝票に関するものである。
【背景技術】
【０００２】
従来、この種の配送伝票としては、例えば図３に示したように、宅配伝票の少なくとも荷出人控え伝票１１、荷札票１２あるいは荷受人控え伝票１３の表面に、宅配業者以外の広告欄１４を設けたものが存在する（特許文献１）。
【０００３】
このように構成される従来の配送伝票は、１案件に対し荷出人と荷受人を含む２人以上が受領の際伝票を閲覧するので、表面であれば認知する確率が高く、しかも宅配伝票は必要に応じて再閲覧することが頻繁であるため広告認知度が高いとしている。
【０００４】
さらに、この種の配送伝票としては、例えば図４に示したように、宅配用伝票上、すなわち宅配用伝票の依頼主控え伝票２１、貼付け伝票２２、届け先控え伝票２３などの上に広告スペース２４を設けたものが存在する（特許文献２）。
【０００５】
このように構成される従来の配送伝票は、伝票１枚につき最低でも２人の人間がその広告を目撃することになり、大きな広告媒体として効果を期待できるとしている。
【特許文献１】特開２００２−１７８６６７号公報（第２、３頁、図１）
【特許文献２】特開２００３−２２０４３号公報（第２頁、図１）
【発明の開示】
【発明が解決しようとする課題】
【０００６】
上記従来の配送伝票では、広告欄１４（広告スペース２４）を、荷出人控え伝票１１（依頼主控え伝票２１）、荷札票１２（貼付け伝票２２）、荷受人控え伝票１３（届け先控え伝票２３）の表面に設けたものとしているので、自然と荷出人や荷受人の視野に入り、広告認知度が高く、大きな広告媒体として効果を期待できるように思われる。しかし、荷出人や荷受人は、広告欄１４（広告スペース２４）よりも大事な部分である配送伝票の荷出人や荷受人の住所、氏名、電話番号などの記入欄を注視し、これらの記入欄に必要事項を書き込むので、その広告欄１４（広告スペース２４）は荷出人や荷受人の視野に入っていても見過ごされる場合が多く、広告媒体としての効果があまり期待できないという問題点を有していた。
【０００７】
さらに、上記従来の配送伝票では、広告欄１４（広告スペース２４）を設けるために、伝票にその欄やスペースを付け足したり、伝票のレイアウトを代えたりしなければならず、その作製に無駄な経費や労力がかかるという問題点を有していた。
【０００８】
そこで、この発明は、上記従来の問題点を解決することを課題としており、伝票に表示した広告が見過ごされることなく、広告媒体としての大きな効果が期待でき、しかも伝票に広告のための欄やスペースを付け足したり、伝票のレイアウトを代えたりすることが不要で、その作製に無駄な経費や労力がかかることのない配送伝票を提供することを目的としてなされたものである。
【課題を解決するための手段】
【０００９】
そのため、この発明の配送伝票は、配送用の荷物に貼り付けて使用するものとしており、配送伝票Ｓの裏面に塗布した粘着剤を被覆している剥離紙１の表面に、広告Ａを表示したものとしている。
【００１０】
そして、この発明の配送伝票は、前記配送伝票Ｓを、荷出人控え伝票２、荷札票３、荷受人控え伝票４などの各種伝票を一端で綴じ合わせたものとしている。
【００１１】
さらに、この発明の配送伝票は、前記広告Ａを、剥離紙１に印刷したものとしている。
【００１２】
また、この発明の配送伝票は、前記広告Ａを、他の書面に印刷したものを剥離紙１に貼り付けたものとしている。
【発明の効果】
【００１３】
この発明の配送伝票は、以上に述べたように構成されているので、伝票に表示した広告が見過ごされることなく、広告媒体としての大きな効果が期待でき、しかも伝票に広告のための欄やスペースを付け足したり、伝票のレイアウトを代えたりすること不要で、その作製に無駄な経費や労力がかかることのないものとなる。
【発明を実施するための最良の形態】
【００１４】
以下、この発明の配送伝票の実施の形態を、図面に基づいて詳細に説明する。
【００１５】
この発明の配送伝票は、配送用の荷物に貼り付けて使用するものとしている。すなわち、配送伝票Ｓは、裏面に粘着剤が塗布され、この粘着剤を剥離紙１で被覆したものとしており、配送用の荷物に用いる場合には、配送伝票Ｓの裏面から剥離紙１を剥がして、その配送伝票Ｓの裏面に塗布された粘着剤により、前記荷物に貼り付けるものとしている。
【００１６】
配送伝票Ｓは、図１、２に示したように、荷出人控え伝票２、荷札票３、荷受人控え伝票４などの各種伝票を一端で綴じ合わせたものとしている。
【００１７】
剥離紙１は、図２に示したように、外面に各種の広告Ａが表示されており、内面は前記配送伝票Ｓの裏面に塗布された粘着剤に貼り付けられている。なお、図示した剥離紙１は、配送伝票Ｓの裏面から剥がし易くするために、中間部に切目１ａを設けて二分割体とし、この切目１ａに爪などを差し込み、それら分割体を外側に捲っていけば良いようにしているが、二分割体とはせずに一枚ものであってもよいことはいうまでもない。このように剥離紙１を二分割体とすると、二分割体とした剥離紙１に、それぞれ別の広告を表示しておくこともできる。
【００１８】
剥離紙１に表示される広告Ａには、会社の所在地、営業内容などの文字情報や、会社案内図、製品の写真などの図形情報などが含まれ、これらを剥離紙１に直接印刷したり、他の書面に印刷したものを貼り付けたものとしている。なお、剥離紙１に表示される広告は、配送業者のものであっても、配送業者以外のものであってもよい。
【００１９】
荷出人控え伝票２、荷札票３、荷受人控え伝票４には、荷出人や荷受人の住所、氏名、電話番号などの必要事項の記入欄が設けられており、これら必要事項を荷出人控え伝票２にボールペンなどで記入することにより、荷札票３、荷受人控え伝票４など他の伝票に、そのボールペンなどの筆圧で前記必要事項が複写記入されるようにしている。
【００２０】
以上のように構成されたこの発明の配送伝票を使用するには、次のようにして行う。
【００２１】
先ず、荷出人は、配送伝票Ｓの荷出人控え伝票２の荷出人や荷受人の住所、氏名、電話番号などの記入欄に、それぞれ必要事項を記入する。
【００２２】
そして、配送用の荷物に前記配送伝票Ｓを貼り付ける場合に、その配送伝票Ｓの裏面に塗布された粘着剤に貼り付けた剥離紙１の捲り上げる部分（剥離紙１の切目１ａや剥離紙１の端縁）に爪を立てて剥がそうとする。すると、その剥離紙１に自然と注意が向けられ、その剥離紙１の表面に表示した広告Ａを見ることになり、また剥離紙１の表面には広告Ａのみが表示されているため、その広告Ａを自然と見てしまうことになる。
【００２３】
したがって、この発明の配送伝票は、剥離紙１に表示した広告が見過ごされることのないものとなる。さらに、この発明の配送伝票では、剥がした剥離紙１を保存しておくことができ、保存しておけば、必要な時にその剥離紙１に表示された広告を何度でも見ることができるものとなり、広告媒体としての大きな効果が期待できるものとなる。
【図面の簡単な説明】
【００２４】
【図１】この発明の配送伝票の一実施形態を表側から見た状態の斜視図である。
【図２】図１に示すこの発明の配送伝票を裏側から見た状態の斜視図である。
【図３】従来の配送伝票の一例を示す説明図である。
【図４】従来の配送伝票の他の例を示す分解斜視図である。
【符号の説明】
【００２５】
１  剥離紙
２  荷出人控え伝票
３  荷札票
４  荷受人控え伝票
Ａ  広告
Ｓ  配送伝票
【図１】
2006062295.tif 000003
【図２】
2006062295.tif 000004
【図３】
2006062295.tif 000005
【図４】
2006062295.tif 000006